(57)【要約】【課題】  ホール用データ集計装置において、算出する粗利の精度を高める。【解決手段】  ホール用データ集計装置５０は、所定の貸出単価で貸し出した遊技媒体の貸出金額を示す遊技媒体貸出金額データと、景品の仕入れ原価に景品の交換個数を乗算して求めた金額を示す出庫金額データと、景品交換される遊技媒体の確定個数又は推定個数をもとに算出された交換金額データと、出庫金額データを交換金額データで除算した粗利換算率とを有し、遊技媒体貸出金額データ、交換金額データ及び粗利換算率を用いて、粗利の算出を行う。【選択図】  図４
2005270429.tif 000002
【特許請求の範囲】
【請求項１】
粗利の算出に用いるホール用データ集計装置であって、
所定の貸出単価で貸し出した遊技媒体の貸出金額を示す遊技媒体貸出金額データと、
景品の仕入れ原価に景品の交換個数を乗算して求めた金額を示す出庫金額データと、
景品交換される遊技媒体の確定個数又は推定個数をもとに算出された交換金額データと、
前記出庫金額データを前記交換金額データで除算した粗利換算率と
を記憶する記憶部と、
前記遊技媒体貸出金額データ、前記交換金額データ、及び、当日又は過去の営業データにもとづく前記粗利換算率を用いて、営業中の推定粗利、営業終了時の確定粗利、営業終了時の推定粗利のうち一又は二以上を算出する集計処理部とを有した
ことを特徴とするホール用データ集計装置。
【請求項２】
前記集計処理部は、過去直近の営業日における確定粗利換算率又は推定粗利換算率を当日の推定粗利換算率として、前記推定粗利を算出する
ことを特徴とする請求項１記載のホール用データ集計装置。
【請求項３】
前記集計処理部は、過去の営業日に算出された前記粗利換算率の平均値を用いて当日の前記推定粗利及び／又は確定粗利を算出する
ことを特徴とする請求項１又は２記載のホール用データ集計装置。
【請求項４】
前記集計処理部は、
遊技媒体計数機で計数された遊技媒体の一営業日における確定個数をもとに求められる前記交換金額データを、営業終了時の交換確定金額データとして算出し、
前記出庫金額データを前記交換確定金額データで除算して求められる前記粗利換算率を、営業終了時の確定粗利換算率として算出する
ことを特徴とする請求項１〜３のいずれかに記載のホール用データ集計装置。
【請求項５】
前記集計処理部は、
遊技客が保有する遊技媒体の一営業日における推定個数をもとに交換推定金額データを算出し、
前記出庫金額データを前記交換推定金額データで除算して求められる前記粗利換算率を、営業終了時の推定粗利換算率として算出する
ことを特徴とする請求項１〜４のいずれかに記載のホール用データ集計装置。
【請求項６】
前記集計処理部は、
営業中におけるホール全体の前記交換推定金額データと過去の前記推定粗利換算率又は前記確定粗利換算率とを乗算し、その乗算結果を、ホール全体の前記遊技媒体貸出金額データから減算して前記推定粗利を算出する
ことを特徴とする請求項１〜５のいずれかに記載のホール用データ集計装置。
【請求項７】
前記集計処理部は、
遊技機別又は機種別の前記交換推定金額データと前記推定粗利換算率又は前記確定粗利換算率とを乗算し、その乗算結果を、遊技機別又は機種別の前記遊技媒体貸出金額データから減算して台粗利又は機種粗利を算出する
ことを特徴とする請求項１〜６のいずれかに記載のホール用データ集計装置。
【請求項８】
コンピュータをホール用データ集計装置として動作させるホール用データ管理プログラムであって、前記コンピュータを、請求項１〜６のいずれかに記載のホール用データ集計装置として動作させる
ことを特徴とするホール用データ集計プログラム。
【発明の詳細な説明】
【技術分野】
【０００１】
本発明は、ホールの各種データを集計するホール用データ集計装置及びホール用データ集計プログラムに関し、特に、ホールの経理、営業計画、釘調整などで利用される粗利を高精度に算出することができるホール用データ集計装置及びホール用データ集計プログラムに関する。
【背景技術】
【０００２】
パチンコホールなどに設置され、ホールの各種データを集計するホール用データ集計装置（ホールコンピュータ）が知られている。この種のデータ集計装置は、遊技媒体貸出機、遊技機、遊技媒体計数機などから出力されるデータを単に集計するだけでなく、これらのデータから粗利などを算出してホール管理者に提供している。
【０００３】
粗利は、ホールの経理、営業計画、釘調整などに利用される重要なデータであり、金額で示すものと、比率（割数）で示すものがある。
金額で示す粗利としては、ホール全体の確定粗利金額を示す確定粗利、ホール全体の推定粗利金額を示す推定粗利、機種別の推定粗利金額を示す機種粗利、遊技機別の推定粗利金額を示す台粗利、遊技機媒体単位の推定粗利金額を示す玉粗利などがあり、以下の式を用いて算出されている。
【０００４】
確定粗利＝全遊技媒体貸出金額−（全交換確定金額×補正係数）
推定粗利＝全遊技媒体貸出金額−（全交換推定金額×補正係数）
機種粗利＝機種別遊技媒体貸出金額−（機種別交換推定金額×補正係数）
台粗利＝遊技機別遊技媒体貸出金額−（遊技機別交換推定金額×補正係数）
玉粗利＝台粗利÷遊技機別アウト個数
【０００５】
ただし、
遊技媒体貸出金額：遊技媒体貸出機の売上金額
交換確定金額：遊技媒体計数機で計数された遊技媒体の個数に、遊技媒体の単価を乗算して求められる金額
交換推定金額：遊技客が保有する遊技媒体の推定個数（＝貸出個数＋セーフ個数−アウト個数）に、遊技媒体の単価を乗算して求められる金額
アウト個数：遊技機が回収した遊技媒体の個数
セーフ個数：遊技機が払い出した遊技媒体の個数
【０００６】
また、比率で示す粗利としては、ホール全体の確定粗利比率を示す確定割数（営業終了後の割数）、ホール全体の推定粗利比率を示す推定割数（営業中の割数）などがあり、以下の式を用いて算出されている（例えば、特許文献１参照。）。
確定割数＝全交換確定金額÷全遊技媒体貸出金額×補正係数
推定割数＝全交換推定金額÷全遊技媒体貸出金額×補正係数
【０００７】
上記の式に示すように、粗利の算出においては、補正係数に左右され、また、景品交換時の端数やフロアへのこぼれ玉などに起因する誤差を含んでいる。
特許文献１に記載の集中管理装置では、上記のような誤差を可及的に排除するために、ホール固有の状況に応じて補正係数を任意の値に設定できるようにしている。
【特許文献１】実公平４−５００６８号公報
【発明の開示】
【発明が解決しようとする課題】
【０００８】
ところで、上記の誤差は、日々の営業において変化している。例えば、仕入れ原価が異なる複数種類の景品を提供する場合、これらの交換比率によって上記の誤差が変化してしまう。したがって、特許文献１のように、補正係数の数値変更で誤差に対応しようとすると、補正係数の頻繁な変更が必要になり、ユーザの負担が増大するという問題がある。
【０００９】
また、ホールの経理においては、確定粗利が利用され、釘調整や営業計画においては、機種別及び遊技機別の推定粗利が利用されている。しかしながら、確定粗利と推定粗利との間には誤差が存在し、機種別や遊技機別の推定粗利を合計しても、確定粗利に一致しないため、釘調整や営業計画が実際の粗利に適合しないものとなる可能性がある。
ちなみに、特許文献１の集中管理装置では、同じ補正係数を用いて、確定粗利及び推定粗利を補正しているため、確定粗利と推定粗利との間の誤差を排除することは困難である。
【００１０】
本発明は、上記の事情にかんがみなされたものであり、ユーザの負担を増大させることなく、精度の高い粗利を算出することができ、また、複数存在する粗利の整合性を高めて、経理、釘調整、営業計画などにおける粗利の有用性を増すことができるホール用データ集計装置及びホール用データ集計プログラムの提供を目的とする。
【課題を解決するための手段】
【００１１】
上記目的を達成するため本発明のホール用データ集計装置は、粗利の算出に用いるホール用データ集計装置であって、所定の貸出単価で貸し出した遊技媒体の貸出金額を示す遊技媒体貸出金額データと、景品の仕入れ原価に景品の交換個数を乗算して求めた金額を示す出庫金額データと、景品交換される遊技媒体の確定個数又は推定個数をもとに算出された交換金額データと、出庫金額データを交換金額データで除算した粗利換算率とを記憶する記憶部と、遊技媒体貸出金額データ、交換金額データ、及び、当日又は過去の営業データにもとづく粗利換算率を用いて、営業中の推定粗利、営業終了時の確定粗利、営業終了時の推定粗利のうち一又は二以上を算出する集計処理部とを有した構成としてある。
【００１２】
このように構成すれば、精度の高い粗利を算出することができる。例えば、遊技媒体貸出金額データから交換金額データを減算して粗利を求める場合、営業データである粗利換算率を交換金額データに乗算すると、遊技媒体貸出金額データから出庫金額データを減算した実質的な粗利に近い結果を得ることができる。
【００１３】
また、本発明のホール用データ集計装置は、集計処理部は、過去直近の営業日における確定粗利換算率又は推定粗利換算率を当日の推定粗利換算率として、推定粗利を算出する構成としてある。
このように構成すれば、当日の営業環境に類似した過去直近の営業日の粗利換算率で算出して、より精度の高い推定粗利を算出できる。
【００１４】
また、本発明のホール用データ集計装置は、集計処理部が、過去の営業日に算出された粗利換算率の平均値を用いて当日の推定粗利及び／又は確定粗利を算出する構成としてある。
このように構成すれば、例えば、ある営業日において、アウト異常、セーフ異常などの異常が発生し、それに起因して粗利換算率に誤差が生じたとしても、過去の粗利換算率を平均化して用いることにより、粗利の誤差を抑制することができる。
【００１５】
また、本発明のホール用データ集計装置は、集計処理部が、遊技媒体計数機で計数された遊技媒体の一営業日における確定個数をもとに求められる交換金額データを、営業終了時の交換確定金額データとして算出し、出庫金額データを交換確定金額データで除算して求められる粗利換算率を、営業終了時の確定粗利換算率として算出する構成としてある。
このように構成すれば、確定粗利換算率を用いて、精度の高い確定粗利を算出することが可能になる。
【００１６】
また、本発明のホール用データ集計装置は、集計処理部が、遊技客が保有する遊技媒体の一営業日における推定個数をもとに交換推定金額データを算出し、出庫金額データを交換推定金額データで除算して求められる粗利換算率を、推定粗利換算率として算出する構成としてある。
このように構成すれば、推定粗利換算率を用いて、精度の高い推定粗利を算出することが可能になる。また、確定粗利換算率とは別に推定粗利換算率を算出することにより、精度の高い確定粗利及び推定粗利を個々に求めることができる。これにより、確定粗利と推定粗利との間の誤差を排除し、各種粗利の整合性を高めることができる。
【００１７】
また、本発明のホール用データ集計装置は、集計処理部が、営業中におけるホール全体の交換推定金額データと過去の推定粗利換算率又は確定粗利換算率とを乗算し、その乗算結果を、ホール全体の遊技媒体貸出金額データから減算して推定粗利を算出する構成としてある。
このように構成すれば、ホール全体の推定粗利を精度良く算出することができる。
【００１８】
また、本発明のホール用データ集計装置は、集計処理部が、遊技機別又は機種別の交換推定金額データと推定粗利換算率又は確定粗利換算率とを乗算し、その乗算結果を、遊技機別又は機種別の遊技媒体貸出金額データから減算して台粗利又は機種粗利を算出する構成としてある。
このように構成すれば、台粗利や機種粗利を精度良く算出することができる。
【００１９】
また、本発明のホール用データ集計プログラムは、コンピュータをホール用データ集計装置として動作させるホール用データ管理プログラムであって、コンピュータを、上記いずれかに記載のホール用データ集計装置として動作させる構成としてある。
このように構成すれば、本発明をプログラムとして実施でき、上記ホール用データ管理装置と同様の効果が得られる。
【発明の効果】
【００２０】
以上のように、本発明によれば、各種粗利の算出に営業データから算出された粗利換算率を用いることにより、ユーザの負担を増大させることなく、精度の高い粗利を算出することができる。
また、確定粗利換算率及び推定粗利換算率を用いて、確定粗利と推定粗利を個別に算出することにより、確定粗利と推定粗利の間の誤差を排除し、粗利の整合性を高めることができる。
【発明を実施するための最良の形態】
【００２１】
以下、本発明の実施形態について、図面を参照して説明する。
図１は、ホールの構成を示すブロック図である。
この図に示すように、ホールには、遊技機１０、遊技媒体貸出機２０、遊技媒体計数機３０、景品交換端末４０、データ集計装置５０、中継ユニット６０などが設置されている。
【００２２】
遊技機１０は、遊技媒体で遊技を行うパチンコ機やスロットマシンであり、島に複数設置されている。各遊技機１０には、外部出力端子が設けられ、ここから、遊技媒体の回収個数を示すアウト数信号や、遊技媒体の払い出し個数を示すセーフ数信号が出力される。アウト信号やセーフ信号は、補給装置から出力される場合もある。
【００２３】
遊技媒体貸出機２０は、現金やプリペイドカードの投入に応じて、遊技媒体を所定の貸出単価で貸し出す装置であり、各遊技機１０に対応した隣接位置に設置されている。各遊技媒体貸出機２０には、外部出力端子が設けられ、ここから、遊技媒体の貸出個数又は貸出金額を示す遊技媒体貸出信号が出力される。
【００２４】
遊技媒体計数機３０は、景品に交換する遊技媒体の計数を行う装置であり、ホールの適所に設置されている。遊技媒体計数機３０に遊技媒体を流し込むと、その個数が自動的に計数されるとともに、計数結果を記録した計数記録媒体が出力される。各遊技媒体計数機３０には、外部出力端子が設けられ、ここから、遊技媒体の計数結果を示す遊技媒体計数信号が出力される。
【００２５】
景品交換端末４０は、ホールの景品交換カウンタに設置され、計数記録媒体から計数データを読み取る処理や、読み取った計数データを景品の個数に変換する処理などを行う。また、景品交換端末４０には、外部出力端子が設けられ、ここから、景品の種類や交換個数を示す景品信号が出力される。
【００２６】
データ集計装置（ホール用データ集計装置）５０は、遊技機１０、遊技媒体貸出機２０、遊技媒体計数機３０及び景品交換端末４０の出力信号を、中継ユニット６０を介して受信し、その集計を行うデータ集計用のコンピュータであり、ホール管理者が操作可能な場所に設置されている。以下、本発明の要旨であるデータ集計装置５０及びデータ集計プログラムについて、詳細に説明する。
【００２７】
図２は、データ集計装置の機能構成を示すブロック図である。
この図に示すように、データ集計装置５０は、遊技機１０、遊技媒体貸出機２０、遊技媒体計数機３０及び景品交換端末４０の出力信号を受信する受信回路部５１と、受信した信号の集計処理などを行う集計処理部５２と、集計データなどを表示する表示部５３と、集計データなどを印字する印字部５４と、画面操作などを行う入力部５５と、集計データやデータ集計プログラムを記憶する記憶部５６とを備えている。
【００２８】
集計処理部５２は、遊技機１０、遊技媒体貸出機２０、遊技媒体計数機３０及び景品交換端末４０の出力信号を集計するとともに、これらの集計データをもとに粗利の算出を行う。本実施形態の集計処理部５２が算出する粗利には、ホール全体の確定粗利金額を示す確定粗利と、ホール全体の推定粗利金額を示す推定粗利と、機種別の推定粗利金額を示す機種粗利と、遊技機別の推定粗利金額を示す台粗利と、遊技機媒体単位の推定粗利金額を示す玉粗利とが含まれる。
【００２９】
上記粗利の算出には、遊技媒体貸出機２０の売上金額である遊技媒体貸出金額データ（ホール全体、機種別及び遊技機別）と、遊技媒体計数機３０で計数された遊技媒体の個数に、遊技媒体の単価を乗算して求められる交換確定金額データ（ホール全体）と、遊技客が保有する遊技媒体の推定個数（＝貸出個数＋セーフ個数−アウト個数）に、遊技媒体の単価を乗算して求められる交換推定金額データ（ホール全体、機種別及び遊技機別）と、景品交換による実質的な支払金額である出庫金額データ（ホール全体）とが用いられる。出庫金額データは、例えば、景品交換端末４０から受信した交換景品個数データに、景品の仕入れ原価を乗算して求められる。
【００３０】
つぎに、上記粗利の具体的な算出手順について説明する。
本発明では、粗利の算出に先立ち、粗利換算率を算出する。粗利換算率には、確定粗利の算出に用いる確定粗利換算率と、推定粗利の算出に用いる推定粗利換算率とがあり、いずれもホールの営業終了後、下記の式を用いて算出され、営業日単位のデータとして保存される。
確定粗利換算率＝出庫金額÷全交換確定金額
推定粗利換算率＝出庫金額÷全交換推定金額
【００３１】
確定粗利は、ホールの営業終了後、各種の集計データが確定してから算出される粗利であり、下記の式を用いて算出される。
確定粗利＝全遊技媒体貸出金額−出庫金額
【００３２】
推定粗利は、ホールの営業中や営業終了後に算出される粗利であり、下記の式を用いて算出される。
推定粗利＝全遊技媒体貸出金額−（全交換推定金額×確定粗利換算率）
【００３３】
このように確定粗利の算出に推定粗利換算率を使用すると、精度の高い推定粗利が得られる。
営業中の推定粗利の算出には、過去の営業日データをもとに算出した推定粗利換算率又は確定粗利換算率が使用される。好ましくは、前日算出した粗利換算率を用いる。これにより、誤差の少ない推定粗利が得られる。
また、過去複数の営業日に算出した複数の推定粗利換算率を平均化して用いてもよい。このようにすると、推定粗利換算率に含まれる誤差の影響を可及的に排除することができる。
【００３４】
機種粗利は、ホールの営業中や営業終了後に算出される粗利であり、下記の式を用いて算出される。
機種粗利＝機種別遊技媒体貸出金額−（機種別交換推定金額×粗利換算率）
【００３５】
このように機種粗利の算出に推定粗利換算率又は確定粗利換算率を使用すると、精度の高い機種粗利が得られる。
機種粗利の算出には、過去の営業日データをもとに算出した粗利換算率が使用される。使用する粗利換算率は、前日のものでもよいし、過去の営業日に算出した粗利換算率の平均値であってもよい。
【００３６】
台粗利は、ホールの営業中や営業終了後に算出される粗利であり、下記の式を用いて算出される。
台粗利＝遊技機別遊技媒体貸出金額−（遊技機別交換推定金額×粗利換算率）
【００３７】
このように台粗利の算出に推定粗利換算率又は確定粗利換算率を使用すると、精度の高い台粗利が得られる。
台粗利の算出には、過去の営業日データをもとに算出した粗利換算率が使用される。使用する粗利換算率は、前日のものでもよいし、過去の営業日に算出した粗利換算率の平均値であってもよい。
【００３８】
玉粗利は、ホールの営業中や営業終了後に算出される粗利であり、下記の式を用いて算出される。
玉粗利＝台粗利÷遊技機別アウト個数
【００３９】
なお、本実施形態では、金額で示す粗利を例として本発明を説明したが、比率で示す粗利の算出においても、粗利換算率を使用できることは言うまでもない。例えば、ホール全体の確定粗利比率を示す確定割数（営業終了後の割数）や、ホール全体の推定粗利比率を示す推定割数（営業中の割数）は、下記の式を用いて算出することができる。
確定割数＝全交換確定金額÷全遊技媒体貸出金額×確定粗利換算率
推定割数＝全交換推定金額÷全遊技媒体貸出金額×推定粗利換算率
【００４０】
また、本実施形態では、確定粗利と推定粗利の誤差を可及的に小さくしているが、この誤差を完全に排除することは困難である。そこで、上記の誤差を下記のように明確に示し、管理上の誤認などを防止するようにしてもよい。
確定粗利＝推定粗利＋誤差粗利
【００４１】
つぎに、本実施形態に係るデータ集計装置５０の制御手順について、図３及び図４を参照して説明する。
図３は、ホール用データ集計装置のメインルーチンを示すフローチャート、図４は、ホール用データ集計装置の粗利算出ルーチンを示すフローチャートである。
【００４２】
図３に示すように、データ集計装置５０のメインルーチンは、遊技機１０、遊技媒体貸出機２０、遊技媒体計数機３０及び景品交換端末４０の出力信号を入力する信号入力ルーチン（Ｓ１０１）と、入力信号をもとに基本的なデータの集計を行う基本集計ルーチン（Ｓ１０２）と、基本データをもとに各種の粗利を算出する粗利算出ルーチン（Ｓ１０３）と、算出した各種データを表示するデータ表示ルーチン（Ｓ１０４）と、算出した各種データを印字するデータ印字ルーチン（Ｓ１０５）とからなる。
【００４３】
図４に示すように、粗利算出ルーチンでは、まず、ホールの営業状態を判断する（Ｓ２０１）。ここで、ホールの営業が終了している場合は、営業終了時のデータ処理が完了しているか否かを判断し（Ｓ２０２）、この判断がＮＯである場合は、当日のデータをもとに、確定粗利換算率の算出処理（Ｓ２０３）と、推定粗利換算率の算出処理（Ｓ２０４）と、確定粗利換算率及び推定粗利換算率の保存処理（Ｓ２０５）と、確定粗利の算出処理（Ｓ２０６）とを行い、営業終了時データ処理完了とする（Ｓ２０７）。
【００４４】
一方、ホールが営業中である場合は、粗利算出処理の周期タイマを参照し（Ｓ２０８）、このタイマが終了している場合は、当日のデータ及び前日の推定粗利換算率をもとに、推定粗利の算出処理（Ｓ２０９）と、機種粗利の算出処理（Ｓ２１０）と、台粗利の算出処理（Ｓ２１１）と、玉粗利の算出処理（Ｓ２１２）とを行い、粗利算出処理の周期タイマをリセットする（Ｓ２１３）。
なお、ステップ２０９からステップ２１３までの処理は、ステップ２０８に示すように、ホール用データ集計装置における粗利算出開始の操作が行われたときにも実行させることができる。
【００４５】
次に、ホール用データ集計プログラムについて説明する。
上記の実施形態におけるコンピュータ（ホール用データ集計装置）の各種機能（データ集計機能）は、それらコンピュータの記憶部に記憶されたホール用データ集計プログラムにより実現される。
ホール用データ集計プログラムは、コンピュータに読み込まれることにより、コンピュータの各構成要素に指令を送り、所定の処理、たとえば、確定粗利，推定粗利，台粗利，機種別粗利，玉粗利、割数等の算出処理などを行わせる。
これによって、データ集計機能は、ホール用データ集計プログラムとコンピュータとが協働した各装置（ホール用データ集計装置）により実現される。
【００４６】
なお、データ集計機能を実現するためのホール用データ集計プログラムは、コンピュータのＲＯＭやハードディスク等に記憶される他、コンピュータ読み取り可能な記録媒体、たとえば、外部記憶装置及び可搬記録媒体等に格納することができる。
そして、記録媒体に記録されたプログラムは、コンピュータのＲＡＭにロードされて、ＣＰＵにより実行される。この実行により、上述した本実施形態の各装置の機能が実現される。
さらに、コンピュータでホール用データ集計プログラムをロードする場合、他のコンピュータで保有されたホール用データ集計プログラムを、通信回線を利用して自己の有するＲＡＭや外部記憶装置にダウンロードすることもできる。このダウンロードされたホール用データ集計プログラムも、ＣＰＵにより実行され、本実施形態の各装置のデータ集計機能を実現する。
【産業上の利用可能性】
【００４７】
本発明は、ホールの各種データを集計するホール用データ集計装置及びデータ集計プログラムに適用でき、特に、ホールの経理、営業計画、釘調整などで利用される粗利の算出機能を持つホール用データ集計装置に好適に用いることができる。
【図面の簡単な説明】
【００４８】
【図１】ホール内に設置された各種装置の配置例を示すブロック図である。
【図２】ホール用データ集計装置の機能構成を示すブロック図である。
【図３】ホール用データ集計装置のメインルーチンを示すフローチャートである。
【図４】ホール用データ集計装置の粗利算出ルーチンを示すフローチャートである。
【符号の説明】
【００４９】
１０  遊技機
２０  遊技媒体貸出機
３０  遊技媒体計数機
４０  景品交換端末
５０  ホール用データ集計装置
５２  集計処理部
５６  記憶部
６０  中継ユニット
【図１】
2005270429.tif 000003
【図２】
2005270429.tif 000004
【図３】
2005270429.tif 000005
【図４】
2005270429.tif 000006